(57)【要約】【課題】ユーザーの利便性を向上する。【解決手段】画像形成装置１００は、第１判定部８０１と、調整部８０４と、決定部８０２と、表示部８０３とを備える。第１判定部８０１は、トナー供給部１３に装着されたトナーコンテナＴＣが、第１コンテナＴＣ１であるか、第２コンテナＴＣ２であるかを判定する。調整部８０４は、ユーザーからの画質調整画面９１０に対する入力に基づいて、画像形成部４が用紙Ｐに形成する画像Ｍの画質Ｑを調整する。決定部８０２は、第１判定部８０１の判定結果に応じて、初期画面として、第１初期画面９００をタッチパネル１４１に表示するか、第２初期画面９９０をタッチパネル１４１に表示するかを決定する。第１初期画面９００は、画質調整画面９１０を表示する旨のユーザーからの指示を受け付ける画面である。第２初期画面９９０は、画質調整画面９１０を表示する旨のユーザーからの指示の受け付けが規制される画面である。【選択図】図４
2019130750.tif 000002
【特許請求の範囲】
【請求項１】
消耗品を収容する交換部品が装着される装着部と、
前記消耗品を消費することによって記録媒体に画像を形成する画像形成部と、
前記装着部に装着された前記交換部品が、第１交換部品であるか、前記第１交換部品と相違する第２交換部品であるかを判定する第１判定部と、
ユーザーからの画質調整画面に対する入力に基づいて、前記画像形成部が前記記録媒体に形成する前記画像の画質を調整する調整部と、
ディスプレーと、
前記第１判定部の判定結果に応じて、初期画面として、第１初期画面を前記ディスプレーに表示するか、前記第１初期画面と相違する第２初期画面を前記ディスプレーに表示するかを決定する決定部と、
前記決定部の決定結果に応じて、前記第１初期画面又は前記第２初期画面を前記ディスプレーに表示する表示部と
を備え、
前記第１初期画面は、前記画質調整画面を表示する旨のユーザーからの指示を受け付ける画面であり、
前記第２初期画面は、前記画質調整画面を表示する旨のユーザーからの指示の受け付けが規制される画面である、画像形成装置。
【請求項２】
タッチパネルを更に備え、
前記タッチパネルは、前記ディスプレーを含み、
前記装着部に装着された前記交換部品が前記第２交換部品であると前記第１判定部が判定した場合に、前記決定部は、前記第１初期画面を表示する旨を決定し、
前記第１初期画面は、画質調整アイコンを含み、
前記画質調整アイコンがユーザーによってタッチされた場合には、前記表示部は、前記ディスプレーに前記画質調整画面を表示する、請求項１に記載の画像形成装置。
【請求項３】
前記表示部は、前記画質調整アイコンとは相違する少なくとも１つのアイコンを前記第１初期画面に表示し、
前記画質調整アイコンのサイズは、前記少なくとも１つのアイコンのサイズより大きく、
前記少なくとも１つのアイコンがユーザーによってタッチされた場合には、前記表示部は、前記画質調整画面と相違する画面を表示する、請求項２に記載の画像形成装置。
【請求項４】
前記第１初期画面は、画質調整タグを含み、
前記画質調整タグがユーザーによってタッチされた場合には、前記表示部は、前記ディスプレーに前記画質調整アイコンを表示する、請求項２又は請求項３に記載の画像形成装置。
【請求項５】
前記装着部には、複数色の消耗品をそれぞれ収容する複数の交換部品が装着され、
前記画像形成部は、前記複数色の消耗品を消費することによって前記記録媒体にカラー画像を形成可能であり、
前記第１判定部は、前記複数の交換部品の各々が前記第１交換部品であるか、前記第２交換部品であるかを判定する、請求項２から請求項４のいずれか１項に記載の画像形成装置。
【請求項６】
前記調整部は、前記画像の濃度を調整する機能、前記画像の彩度を調整する機能、及び前記画像のカラーバランスを調整する機能のうちの少なくとも１つの機能を有する、請求項５に記載の画像形成装置。
【請求項７】
印刷ジョブを受け付ける受付部と、
前記画像の画質の調整が完了したか否かを判定する第２判定部と、
前記印刷ジョブを前記画像形成部に実行させる実行部と
を更に備え、
前記実行部は、前記第２判定部の判定結果に基づいて、前記印刷ジョブを前記画像形成部に実行させる、請求項１から請求項６のいずれか１項に記載の画像形成装置。
【請求項８】
前記画像の画質の調整が完了していないと前記第２判定部が判定した場合に、前記実行部は、前記印刷ジョブの実行を規制する、請求項７に記載の画像形成装置。
【発明の詳細な説明】
【技術分野】
【０００１】
本発明は、画像形成装置に関する。
【背景技術】
【０００２】
特許文献１に記載の画像形成装置は、制御部と、タッチパネルとを備える。制御部は、非純正品のトナーコンテナが装着された場合には、装着されたトナーコンテナが非純正品であることを通知するメッセージをタッチパネルに表示する。
【先行技術文献】
【特許文献】
【０００３】
【特許文献１】特開２００５−３２６７３１号公報
【発明の概要】
【発明が解決しようとする課題】
【０００４】
特許文献１に記載の画像形成装置では、非純正品のトナーコンテナが装着された場合には、ユーザーが要求する画質を満たさない画像が用紙に形成される可能性がある。すなわち、ユーザーの利便性が充分ではない。
【０００５】
本発明は、上記課題に鑑みてなされたものであり、ユーザーの利便性を向上することが可能な画像形成装置を提供することを目的としている。
【課題を解決するための手段】
【０００６】
本発明に係る画像形成装置は、装着部と、画像形成部と、第１判定部と、調整部と、ディスプレーと、決定部と、表示部とを備える。前記装着部は、消耗品を収容する交換部品が装着される。前記画像形成部は、前記消耗品を消費することによって記録媒体に画像を形成する。前記第１判定部は、前記装着部に装着された前記交換部品が、第１交換部品であるか、前記第１交換部品と相違する第２交換部品であるかを判定する。前記調整部は、ユーザーからの画質調整画面に対する入力に基づいて、前記画像形成部が前記記録媒体に形成する前記画像の画質を調整する。前記決定部は、前記第１判定部の判定結果に応じて、初期画面として、第１初期画面を前記ディスプレーに表示するか、前記第１初期画面と相違する第２初期画面を前記ディスプレーに表示するかを決定する。前記表示部は、前記決定部の決定結果に応じて、前記第１初期画面又は前記第２初期画面を前記ディスプレーに表示する。前記第１初期画面は、前記画質調整画面を表示する旨のユーザーからの指示を受け付ける画面である。前記第２初期画面は、前記画質調整画面を表示する旨のユーザーからの指示の受け付けが規制される画面である。
【発明の効果】
【０００７】
本発明の画像形成装置によれば、ユーザーの利便性を向上できる。
【図面の簡単な説明】
【０００８】
【図１】本発明の実施形態に係る画像形成装置の構成の一例を示す図である。
【図２】本発明の実施形態に係る画像形成部の構成の一例を示す図である。
【図３】タッチパネルに表示する画面の遷移の一例を示す図である。
【図４】本発明の実施形態に係る制御部の構成の一例を示す図である。
【図５】（ａ）は、第１初期画面の一例を示す画面図である。（ｂ）は、第１初期画面の別の一例を示す画面図である。
【図６】第２初期画面の一例を示す画面図である。
【図７】（ａ）は、画質調整画面の一例を示す画面図である。（ｂ）は、濃度調整画面の一例を示す画面図である。
【図８】印刷実行画面の一例を示す画面図である。
【図９】制御部の処理の一例を示すフローチャートである。
【図１０】制御部の処理の一例を示すフローチャートである。
【図１１】制御部の処理の一例を示すフローチャートである。
【図１２】制御部の画質調整処理の一例を示すフローチャートである。
【発明を実施するための形態】
【０００９】
以下、本発明の実施形態について、図面（図１〜図１２）を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、画像形成装置１００の構成を示す図である。画像形成装置１００は、カラー複合機である。
【００１１】
図１に示すように、画像形成装置１００は、画像形成ユニット１、画像読取ユニット２、原稿搬送ユニット３、操作パネル１４及び制御部８を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル１４は、ユーザーからの操作を受け付ける。制御部８は、画像形成装置１００の動作を制御する。
【００１２】
画像形成ユニット１は、給送部１２、搬送部Ｌ、トナー供給部１３、画像形成部４、定着部１６及び排出部１７を備える。画像形成部４は、転写部５を含む。
【００１３】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１４】
トナー供給部１３は、画像形成部４にトナーを供給する。トナー供給部１３には、トナーコンテナＴＣｃ、トナーコンテナＴＣｍ、トナーコンテナＴＣｙ及びトナーコンテナＴＣｋが装着される。トナーコンテナＴＣｃ〜トナーコンテナＴＣｋは、「交換部品」の一例に相当する。以下の説明において、トナーコンテナＴＣｃ〜トナーコンテナＴＣｋの各々を、トナーコンテナＴＣと総称する場合がある。トナー供給部１３は、「装着部」の一例に相当する。
【００１５】
トナーコンテナＴＣｃには、シアン色のトナーＴＮ１が収納される。トナーコンテナＴＣｃは、画像形成部４にシアン色のトナーＴＮ１を供給する。トナーコンテナＴＣｍには、マゼンタ色のトナーＴＮ２が収納される。トナーコンテナＴＣｍは、画像形成部４にマゼンタ色のトナーＴＮ２を供給する。トナーコンテナＴＣｙには、イエロー色のトナーＴＮ３が収納される。トナーコンテナＴＣｙは、画像形成部４にイエロー色のトナーＴＮ３を供給する。トナーコンテナＴＣｋには、黒色のトナーＴＮ４が収納される。トナーコンテナＴＣｋは、画像形成部４に黒色のトナーＴＮ４を供給する。シアン色のトナーＴＮ１、マゼンタ色のトナーＴＮ２、イエロー色のトナーＴＮ３及び黒色のトナーＴＮ４は、「消耗品」の一例に相当する。以下の説明において、シアン色のトナーＴＮ１、マゼンタ色のトナーＴＮ２、イエロー色のトナーＴＮ３及び黒色のトナーＴＮ４の各々を、トナーＴＮと総称する場合がある。
【００１６】
トナーコンテナＴＣｃは、ＩＣ（Ｉｎｔｅｇｒａｔｅｄ  Ｃｉｒｃｕｉｔ）タグ６１を備える。ＩＣタグ６１は、トナーコンテナＴＣｃの周面に配置される。ＩＣタグ６１は、トナーコンテナＴＣｃの識別情報ＪＤｃを記憶する。トナーコンテナＴＣｍは、ＩＣタグ６２を備える。ＩＣタグ６２は、トナーコンテナＴＣｍの周面に配置される。ＩＣタグ６２は、トナーコンテナＴＣｍの識別情報ＪＤｍを記憶する。
【００１７】
トナーコンテナＴＣｙは、ＩＣタグ６３を備える。ＩＣタグ６３は、トナーコンテナＴＣｙの周面に配置される。ＩＣタグ６３は、トナーコンテナＴＣｙの識別情報ＪＤｙを記憶する。トナーコンテナＴＣｋは、ＩＣタグ６４を備える。ＩＣタグ６４は、トナーコンテナＴＣｋの周面に配置される。ＩＣタグ６４は、トナーコンテナＴＣｋの識別情報ＪＤｋを記憶する。以下の説明において、ＩＣタグ６１〜ＩＣタグ６４の各々を、ＩＣタグ６と総称する場合がある。また、識別情報ＪＤｃ、識別情報ＪＤｍ、識別情報ＪＤｙ及び識別情報ＪＤｋの各々を、識別情報ＪＤと総称する場合がある。
【００１８】
トナー供給部１３には、トナーコンテナＴＣｃ〜トナーコンテナＴＣｋが着脱自在である。トナー供給部１３は、リーダー７１、リーダー７２、リーダー７３及びリーダー７４を備える。
【００１９】
リーダー７１は、ＩＣタグ６１からトナーコンテナＴＣｃの識別情報ＪＤｃを読み取る。リーダー７２は、ＩＣタグ６２からトナーコンテナＴＣｍの識別情報ＪＤｍを読み取る。リーダー７３は、ＩＣタグ６３からトナーコンテナＴＣｙの識別情報ＪＤｙを読み取る。リーダー７４は、ＩＣタグ６４からトナーコンテナＴＣｋの識別情報ＪＤｋを読み取る。以下の説明において、リーダー７１〜リーダー７４の各々を、リーダー７と総称する場合がある。
【００２０】
画像形成部４は、用紙Ｐに画像を形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。画像形成部４については、後述にて図２を参照して詳細に説明する。
【００２１】
定着部１６は、用紙Ｐを加熱及び加圧し、用紙Ｐに形成された画像を用紙Ｐに定着する。排出部１７は、用紙Ｐを画像形成装置１００の外部に排出する。
【００２２】
操作パネル１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。タッチパネル１４１は、「ディスプレー」の一例に相当する。
【００２３】
制御部８は、プロセッサー８１及び記憶部８２を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。
【００２４】
次に、図１及び図２を参照して、本発明の実施形態に係る画像形成部４の構成について説明する。図２は、画像形成部４の構成の一例を示す図である。図２に示すように、画像形成部４は、画像形成部４ｃ、画像形成部４ｍ、画像形成部４ｙ及び画像形成部４ｋを備える。
【００２５】
画像形成部４ｃ、画像形成部４ｍ、画像形成部４ｙ及び画像形成部４ｋの各々は、露光部４１、感光体ドラム４２、現像部４３、帯電ローラー４４及びクリーニングブレード４５を備える。画像形成部４ｃ、画像形成部４ｍ、画像形成部４ｙ及び画像形成部４ｋの各々の構成は、供給されるトナーの色が異なるのみで、その他の構成は略同一である。したがって、以下の説明では、シアン色のトナーＴＮ１が供給される画像形成部４ｃの構成について説明し、画像形成部４ｃ以外の画像形成部４ｍ、画像形成部４ｙ及び画像形成部４ｋの構成についての説明は省略する。
【００２６】
画像形成部４ｃは、露光部４１ｃ（４１）、感光体ドラム４２ｃ（４２）、現像部４３ｃ（４３）、帯電ローラー４４ｃ（４４）及びクリーニングブレード４５ｃ（４５）を有する。
【００２７】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃを有する。現像ローラー４３１ｃは、感光体ドラム４２ｃにシアン色のトナーＴＮ１を供給し、静電潜像を現像してトナー像を形成する。このようにして、感光体ドラム４２ｃの周面にシアン色のトナー像が形成される。
【００２８】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアン色のトナーＴＮ１が除去される。
【００２９】
転写部５は、用紙Ｐにトナー像を転写する。転写部５は、一次転写ローラー５１、二次転写ローラー５２、駆動ローラー５３、中間転写ベルト５４及び従動ローラー５５を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００３０】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、矢印Ｄ１及び矢印Ｄ２に示すように、反時計回りに回転駆動される。従動ローラー５５は、中間転写ベルト５４の回転に伴って回転駆動される。ブレード５６は、中間転写ベルト５４の表面に残留しているトナーＴＮを除去する。
【００３１】
二次転写ローラー５２は、駆動ローラー５３に押圧され、二次転写ローラー５２と駆動ローラー５３との間にニップ部Ｎが形成される。二次転写ローラー５２は、用紙Ｐがニップ部Ｎを通過する際に、中間転写ベルト５４上のトナー像を用紙Ｐに転写する。
【００３２】
次に、図１〜図３を参照して、タッチパネル１４１に表示される画面の遷移について説明する。図３は、画面の遷移の一例を示す図である。図３に示すように、タッチパネル１４１には、第１初期画面９００、画質調整画面９１０、濃度調整画面９２０、彩度調整画面９３０、カラーバランス調整画面９４０及び印刷実行画面９５０が表示される。
【００３３】
第１初期画面９００は、画質調整画面９１０を表示する旨のユーザーからの指示を受け付ける画面である。具体的には、第１初期画面９００は、タッチパネル１４１を介して、画質調整画面９１０を表示する旨のユーザーからの指示を受け付ける。第１初期画面９００については、後述にて図５を参照して詳細に説明する。
【００３４】
画質調整画面９１０は、タッチパネル１４１を介して、濃度調整画面９２０、彩度調整画面９３０又はカラーバランス調整画面９４０を表示する旨のユーザーからの指示を受け付ける。画質調整画面９１０については、後述にて図７（ａ）を参照して詳細に説明する。
【００３５】
濃度調整画面９２０は、タッチパネル１４１を介して、画像形成部４が用紙Ｐに形成する画像Ｍの濃度Ｄを調整する旨のユーザーからの入力を受け付ける。画像Ｍの濃度Ｄの調整が完了すると、印刷実行画面９５０が表示される。濃度調整画面９２０については、後述にて図７（ｂ）を参照して詳細に説明する。
【００３６】
彩度調整画面９３０は、タッチパネル１４１を介して、画像形成部４が用紙Ｐに形成する画像Ｍの彩度Ｈを調整する旨のユーザーからの入力を受け付ける。画像Ｍの彩度Ｈの調整が完了すると、印刷実行画面９５０が表示される。彩度Ｈは、色の鮮やかさの程度を示す。具体的には、彩度Ｈは、色空間における無彩色軸からの距離を示す。
【００３７】
カラーバランス調整画面９４０は、タッチパネル１４１を介して、画像形成部４が用紙Ｐに形成する画像ＭのカラーバランスＣＢを調整する旨のユーザーからの入力を受け付ける。画像ＭのカラーバランスＣＢの調整が完了すると、印刷実行画面９５０が表示される。カラーバランスＣＢの調整とは、中間転写ベルト５４に形成するシアン色のトナー像の濃度と、マゼンタ色のトナー像の濃度と、イエロー色のトナー像の濃度とを別々に調整することを示す。
【００３８】
印刷実行画面９５０は、用紙Ｐに画像Ｍを形成する旨のユーザーからの指示を受け付ける。用紙Ｐへの画像Ｍの形成が完了すると、第１初期画面９００が表示される。印刷実行画面９５０については、後述にて図８を参照して詳細に説明する。
【００３９】
次に、図１〜図４を参照して、本発明の実施形態に係る制御部８の構成について説明する。図４は、制御部８の構成の一例を示す図である。図４に示すように、画像形成装置１００は、パーソナルコンピューター２００と通信可能に接続される。
【００４０】
また、図４に示すように、制御部８は、第１判定部８０１、決定部８０２、表示部８０３、調整部８０４、受付部８０５、第２判定部８０６及び実行部８０７を備える。具体的には、制御部８のプロセッサー８１は、制御プログラムを実行することによって、第１判定部８０１、決定部８０２、表示部８０３、調整部８０４、受付部８０５、第２判定部８０６及び実行部８０７として機能する。
【００４１】
第１判定部８０１は、トナー供給部１３に装着されたトナーコンテナＴＣが、第１コンテナＴＣ１であるか、第１コンテナＴＣ１と相違する第２コンテナＴＣ２であるかを判定する。第１コンテナＴＣ１は、例えば、専用品を示す。第２コンテナＴＣ２は、例えば、非専用品を示す。
【００４２】
具体的には、第１判定部８０１は、リーダー７を介して、トナー供給部１３に装着されたトナーコンテナＴＣの識別情報ＪＤを取得する。そして、第１判定部８０１は、トナーコンテナＴＣの識別情報ＪＤに基づいて、トナーコンテナＴＣが、第１コンテナＴＣ１であるか、第２コンテナＴＣ２であるかを判定する。
【００４３】
決定部８０２は、第１判定部８０１の判定結果に応じて、初期画面として、第１初期画面９００をタッチパネル１４１に表示するか、第１初期画面９００と相違する第２初期画面９９０をタッチパネル１４１に表示するかを決定する。第１初期画面９００は、タッチパネル１４１を介して、画質調整画面９１０を表示する旨のユーザーからの指示を受け付ける。第２初期画面９９０は、画質調整画面９１０を表示する旨のユーザーからの指示の受け付けが規制される画面である。第２初期画面９９０については、後述にて図６を参照して詳細に説明する。
【００４４】
表示部８０３は、決定部８０２の決定結果に応じて、第１初期画面９００又は第２初期画面９９０をタッチパネル１４１に表示する。また、表示部８０３は、ユーザーからのタッチパネル１４１への入力に応じて、画質調整画面９１０、濃度調整画面９２０、彩度調整画面９３０、カラーバランス調整画面９４０及び印刷実行画面９５０を表示する。
【００４５】
調整部８０４は、ユーザーからの画質調整画面９１０に対する入力に基づいて、画像形成部４が用紙Ｐに形成する画像Ｍの画質Ｑを調整する。具体的には、調整部８０４は、画像Ｍの濃度Ｄを調整する機能、画像Ｍの彩度Ｈを調整する機能、及び画像ＭのカラーバランスＣＢを調整する機能を有する。調整部８０４は、濃度調整画面９２０に対するユーザーからの入力に基づいて、画像Ｍの濃度Ｄを調整する。調整部８０４は、彩度調整画面９３０に対するユーザーからの入力に基づいて、画像Ｍの彩度Ｈを調整する。調整部８０４は、カラーバランス調整画面９４０に対するユーザーからの入力に基づいて、画像ＭのカラーバランスＣＢを調整する。
【００４６】
受付部８０５は、印刷ジョブＪＢを受け付ける。印刷ジョブＪＢは、プリントジョブＰＪとコピージョブＣＪとを含む。プリントジョブＰＪは、パーソナルコンピューター２００からの指示に基づき、用紙Ｐに画像Ｍを形成するジョブを示す。コピージョブＣＪは、画像読取ユニット２が生成した画像情報に対応する画像Ｍを用紙Ｐに形成するジョブを示す。
【００４７】
第２判定部８０６は、画像Ｍの画質Ｑの調整が完了したか否かを判定する。具体的には、第２判定部８０６は、ユーザーからのタッチパネル１４１への入力に基づいて、画像Ｍの画質Ｑの調整が完了したか否かを判定する。
【００４８】
実行部８０７は、第２判定部８０６の判定結果に基づいて、印刷ジョブＪＢを画像形成部４に実行させる。
【００４９】
以上、図１〜図４を参照して説明したように、本発明の実施形態では、トナー供給部１３に装着されたトナーコンテナＴＣが第１コンテナＴＣ１（例えば、専用品）であるか、第１コンテナＴＣ１と相違する第２コンテナＴＣ２（例えば、非専用品）であるかを第１判定部８０１が判定する。そして、第１判定部８０１の判定結果に応じて、初期画面として、第１初期画面９００を表示するか、第１初期画面９００と相違する第２初期画面９９０を表示するかを決定する。第１初期画面９００は、画質調整画面９１０を表示する旨のユーザーからの指示を受け付ける画面であり、第２初期画面９９０は、画質調整画面９１０を表示する旨のユーザーからの指示の受け付けが規制される画面である。例えば、トナーコンテナＴＣが第２コンテナＴＣ２である場合には、第１初期画面９００を表示することによって、ユーザーに対して画質Ｑを調整するように促すことができる。したがって、ユーザーが要求する画質Ｑを満たさない画像Ｍが用紙Ｐに形成されることを抑制できる。その結果、ユーザーの利便性を向上できる。
【００５０】
また、画像形成部４は、４色のトナーＴＮを消費することによって用紙Ｐにカラー画像を形成可能である。４色のトナーＴＮは、具体的には、シアン色のトナーＴＮ１、マゼンタ色のトナーＴＮ２、イエロー色のトナーＴＮ３及び黒色のトナーＴＮ４を示す。よって、カラー画像を形成する場合にも、ユーザーが要求する画質Ｑを満たさない画像Ｍが用紙Ｐに形成されることを抑制できる。したがって、ユーザーの利便性を更に向上できる。
【００５１】
なお、本発明の実施形態では、４色のトナーＴＮを消費することによって用紙Ｐにカラー画像を形成するが、本発明はこれに限定されない。複数色のトナーＴＮを消費することによって用紙Ｐにカラー画像を形成すればよい。例えば、３色のトナーＴＮを消費することによって用紙Ｐにカラー画像を形成してもよい。
【００５２】
次に、図３〜図５を参照して、制御部８の処理について説明する。図５（ａ）は、第１初期画面９００の一例を示す画面図である。図５（ａ）に示すように、第１初期画面９００には、画質調整ボタン９０１と、ＦＡＸボタン９０２と、ＳＥＮＤボタン９０３とが表示される。
【００５３】
画質調整ボタン９０１は、ユーザーが画像Ｍの画質Ｑを調整する場合に、ユーザーによってタッチされる。画質調整ボタン９０１がタッチされた場合には、画質調整画面９１０がタッチパネル１４１に表示される。画質調整ボタン９０１は、「画質調整アイコン」の一例に相当する。
【００５４】
ＦＡＸボタン９０２は、ユーザーがファクシミリを送信する場合に、ユーザーによってタッチされる。ＦＡＸボタン９０２がタッチされた場合には、図示しない宛先設定画面がタッチパネル１４１に表示される。宛先設定画面は、ファクシミリの送付先を設定するための画面を示す。ＦＡＸボタン９０２は、「少なくとも１つのアイコン」の一例に相当する。
【００５５】
ＳＥＮＤボタン９０３は、ユーザーが記憶部８２に記憶された情報をパーソナルコンピューター２００に送信する場合に、ユーザーによってタッチされる。ＳＥＮＤボタン９０３がタッチされた場合には、図示しない送信ファイル決定画面がタッチパネル１４１に表示される。送信ファイル決定画面は、記憶部８２に記憶された複数のファイルの中から、送信する対象のファイルを決定するための画面を示す。ＳＥＮＤボタン９０３は、「少なくとも１つのアイコン」の一例に相当する。
【００５６】
図５（ａ）に示すように、画質調整ボタン９０１のサイズは、ＦＡＸボタン９０２のサイズより大きく、且つＳＥＮＤボタン９０３のサイズより大きい。具体的には、画質調整ボタン９０１の高さは、ＦＡＸボタン９０２の高さより大きく、且つＳＥＮＤボタン９０３の高さより大きい。また、画質調整ボタン９０１の幅は、ＦＡＸボタン９０２の幅より大きく、且つＳＥＮＤボタン９０３の幅より大きい。
【００５７】
次に、図５（ａ）を参照して制御部８の処理について説明する。トナー供給部１３に装着されたトナーコンテナＴＣが第２コンテナＴＣ２であると第１判定部８０１が判定した場合には、決定部８０２が初期画面を第１初期画面９００に決定する。そして、表示部８０３が第１初期画面９００をタッチパネル１４１に表示する。
【００５８】
第１初期画面９００の画質調整ボタン９０１がタッチされた場合には、表示部８０３は、画質調整画面９１０をタッチパネル１４１に表示する。ＦＡＸボタン９０２がタッチされた場合には、表示部８０３は、宛先設定画面をタッチパネル１４１に表示する。ＳＥＮＤボタン９０３がタッチされた場合には、表示部８０３は、送信ファイル決定画面をタッチパネル１４１に表示する。
【００５９】
以上、図３〜図５（ａ）を参照して説明したように、本発明の実施形態では、トナー供給部１３に装着されたトナーコンテナＴＣが第２コンテナＴＣ２（例えば、非専用品）であると第１判定部８０１が判定した場合に、画質調整ボタン９０１を含む第１初期画面９００を表示する。そして、画質調整ボタン９０１がユーザーによってタッチされた場合には、タッチパネル１４１に画質調整画面９１０を表示する。よって、トナー供給部１３に装着されたトナーコンテナＴＣが第２コンテナＴＣ２である場合に、ユーザーは画像Ｍの画質Ｑを容易に調整できる。したがって、ユーザーの利便性を更に向上できる。
【００６０】
また、画質調整ボタン９０１のサイズは、第１初期画面９００に表示された他のボタン（ＦＡＸボタン９０２及びＳＥＮＤボタン９０３）のサイズより大きい。よって、ユーザーは画像Ｍの画質Ｑを更に容易に調整できる。したがって、ユーザーの利便性を更に向上できる。
【００６１】
なお、本発明の実施形態では、第１初期画面９００が画質調整ボタン９０１を含むが、本発明はこれに限定されない。第１初期画面９００が画質調整アイコンを含めばよい。例えば、第１初期画面９００が画質調整画面９１０へのショートカットアイコンを含んでもよい。
【００６２】
また、本発明の実施形態では、第１初期画面９００が画質調整ボタン９０１、ＦＡＸボタン９０２及びＳＥＮＤボタン９０３を含むが、本発明はこれに限定されない。第１初期画面９００が画質調整ボタン９０１と相違する少なくとも１つのアイコンを含めばよい。例えば、第１初期画面９００が画質調整ボタン９０１とＦＡＸボタン９０２とから構成されてもよい。
【００６３】
図５（ｂ）は、第１初期画面９００の別の一例を示す画面図である。図５（ｂ）に示す第１初期画面９００は、画質調整タグ９０４を含む点で、図５（ａ）に示す第１初期画面９００と相違する。以下の説明では、図５（ａ）に示す第１初期画面９００と相違する点について主に説明し、図５（ａ）に示す第１初期画面９００と同様の構成についてはその説明を省略する。
【００６４】
図５（ｂ）に示すように、第１初期画面９００には、画質調整タグ９０４と、その他タグ９０５とが表示される。画質調整タグ９０４がユーザーによってタッチされた場合には、第１初期画面９００に画質調整ボタン９０１が表示される。その他タグ９０５がユーザーによってタッチされた場合には、第１初期画面９００にＦＡＸボタン９０２とＳＥＮＤボタン９０３とが表示される。
【００６５】
次に、図５（ｂ）を参照して制御部８の処理について説明する。トナー供給部１３に装着されたトナーコンテナＴＣが第２コンテナＴＣ２であると第１判定部８０１が判定した場合には、決定部８０２が初期画面を第１初期画面９００に決定する。そして、表示部８０３が第１初期画面９００をタッチパネル１４１に表示する。
【００６６】
表示部８０３が第１初期画面９００を表示する際には、画質調整タグ９０４が選択された状態で第１初期画面９００を表示する。すなわち、図５（ｂ）に示すように、タッチパネル１４１には、画質調整ボタン９０１だけが表示され、ＦＡＸボタン９０２とＳＥＮＤボタン９０３とは表示されていない。
【００６７】
以上、図３〜図５（ｂ）を参照して説明したように、本発明の実施形態では、画質調整タグ９０４がユーザーによってタッチされた場合には、タッチパネル１４１に画質調整ボタン９０１を表示する。よって、ユーザーに対して画質Ｑを調整するように強く促すことができる。したがって、ユーザーが要求する画質Ｑを満たさない画像Ｍが用紙Ｐに形成されることを更に抑制できる。その結果、ユーザーの利便性を更に向上できる。
【００６８】
また、表示部８０３が第１初期画面９００を表示する際には、画質調整タグ９０４が選択された状態で第１初期画面９００を表示する。すなわち、タッチパネル１４１には、画質調整ボタン９０１だけが表示され、ＦＡＸボタン９０２とＳＥＮＤボタン９０３とは表示されない。よって、ユーザーに対して画質Ｑを調整するように更に強く促すことができる。したがって、ユーザーが要求する画質Ｑを満たさない画像Ｍが用紙Ｐに形成されることを更に抑制できる。その結果、ユーザーの利便性を更に向上できる。
【００６９】
なお、本発明の実施形態では、画質調整タグ９０４がタッチされた場合に、画質調整ボタン９０１を表示するが、本発明はこれに限定されない。画質調整タグ９０４がタッチされた場合に、濃度ボタン９１１、彩度ボタン９１２及びカラーバランスボタン９１３を表示してもよい。濃度ボタン９１１、彩度ボタン９１２及びカラーバランスボタン９１３については、後述にて図７を参照して詳細に説明する。
【００７０】
次に、図３〜図６を参照して、制御部８の処理について更に説明する。図６は、第２初期画面９９０の一例を示す画面図である。図６に示すように、第２初期画面９９０には、コピーボタン９９１と、プリントボタン９９２と、ＦＡＸボタン９０２と、ＳＥＮＤボタン９０３とが表示される。ＦＡＸボタン９０２と、ＳＥＮＤボタン９０３とについては、図５（ａ）を参照して説明したので、以下ではその説明を省略する。
【００７１】
コピーボタン９９１は、コピージョブＣＪを実行する場合に、ユーザーによってタッチされる。コピーボタン９９１がタッチされた場合には、図示しないコピー画面が表示される。コピー画面では、ユーザーからの入力に基づいて、コピー枚数のようなコピー条件の設定を受け付ける。また、コピー画面では、コピージョブＣＪを実行する旨の指示を受け付ける。コピージョブＣＪを実行する旨の指示を受け付けた場合には、コピージョブＣＪが実行される。
【００７２】
プリントボタン９９２は、プリントジョブＰＪを実行する場合に、ユーザーによってタッチされる。プリントボタン９９２がタッチされた場合には、プリントジョブＰＪが実行される。
【００７３】
次に、図６を参照して、制御部８の処理について説明する。決定部８０２は、トナーコンテナＴＣが第１コンテナＴＣ１であると第１判定部８０１が判定した場合に、表示部８０３は、第２初期画面９９０をタッチパネル１４１に表示する。第２初期画面９９０のコピーボタン９９１がタッチされた場合には、表示部８０３は、コピー画面を表示する。コピー画面を介してコピージョブＣＪを実行する旨の指示を受け付けた場合には、実行部８０７は、コピージョブＣＪを実行する。プリントボタン９９２がタッチされた場合には、実行部８０７は、プリントジョブＰＪを実行する。
【００７４】
以上、図３〜図６を参照して説明したように、トナーコンテナＴＣが第１コンテナＴＣ１であると第１判定部８０１が判定した場合に、表示部８０３は第２初期画面９９０をタッチパネル１４１に表示する。また、第２初期画面９９０のコピーボタン９９１がタッチされた場合には、表示部８０３は、コピー画面を表示し、コピー画面を介してコピージョブＣＪを実行する旨の指示を受け付けた場合には、実行部８０７は、コピージョブＣＪを実行する。よって、ユーザーはコピージョブＣＪを簡単な操作で実行できる。したがって、ユーザーの利便性を更に向上できる。また、第２初期画面９９０のプリントボタン９９２がタッチされた場合には、実行部８０７は、プリントジョブＰＪを実行する。よって、ユーザーはプリントジョブＰＪを簡単な操作で実行できる。したがって、ユーザーの利便性を更に向上できる。
【００７５】
次に、図３〜図７を参照して、制御部８の処理について更に説明する。図７（ａ）は、画質調整画面９１０の一例を示す画面図である。図７（ａ）に示すように、画質調整画面９１０には、濃度ボタン９１１と、彩度ボタン９１２と、カラーバランスボタン９１３と、戻るボタン９１４とが表示される。
【００７６】
濃度ボタン９１１は、画像Ｍの濃度Ｄを調整する場合に、ユーザーによってタッチされる。濃度ボタン９１１がタッチされた場合には、濃度調整画面９２０がタッチパネル１４１に表示される。濃度調整画面９２０については、後述にて図７（ｂ）を参照して詳細に説明する。
【００７７】
彩度ボタン９１２は、画像Ｍの彩度Ｈを調整する場合に、ユーザーによってタッチされる。彩度ボタン９１２がタッチされた場合には、彩度調整画面９３０がタッチパネル１４１に表示される。彩度調整画面９３０に対するユーザーの入力に基づいて、画像Ｍの彩度Ｈが調整される。
【００７８】
カラーバランスボタン９１３は、画像ＭのカラーバランスＣＢを調整する場合に、ユーザーによってタッチされる。カラーバランスボタン９１３がタッチされた場合には、カラーバランス調整画面９４０がタッチパネル１４１に表示される。カラーバランス調整画面９４０に対するユーザーの入力に基づいて画像ＭのカラーバランスＣＢが調整される。
【００７９】
戻るボタン９１４は、第１初期画面９００に戻る場合に、ユーザーによってタッチされる。戻るボタン９１４がタッチされた場合には、タッチパネル１４１に第１初期画面９００が表示される。
【００８０】
次に、図７（ａ）を参照して、制御部８の処理について説明する。第１初期画面９００の画質調整ボタン９０１がタッチされた場合には、表示部８０３は、画質調整画面９１０をタッチパネル１４１に表示する。画質調整画面９１０の濃度ボタン９１１がタッチされた場合には、表示部８０３は、濃度調整画面９２０をタッチパネル１４１に表示する。彩度ボタン９１２がタッチされた場合には、表示部８０３は、彩度調整画面９３０をタッチパネル１４１に表示する。カラーバランスボタン９１３がタッチされた場合には、表示部８０３は、カラーバランス調整画面９４０をタッチパネル１４１に表示する。
【００８１】
以上、図３〜図７（ａ）を参照して説明したように、本発明の実施形態では、濃度調整画面９２０、彩度調整画面９３０及びカラーバランス調整画面９４０がタッチパネル１４１に表示されるため、画像Ｍの濃度Ｄ、彩度Ｈ及びカラーバランスＣＢを調整できる。したがって、画像Ｍの画質Ｑをユーザーの所望する画質Ｑに調整できる。
【００８２】
なお、本発明の実施形態では、表示部８０３は、濃度調整画面９２０、彩度調整画面９３０及びカラーバランス調整画面９４０を表示するが、本発明はこれに限定されない。表示部８０３が、濃度調整画面９２０、彩度調整画面９３０及びカラーバランス調整画面９４０の少なくとも１つを表示すればよい。
【００８３】
図７（ｂ）は、濃度調整画面９２０の一例を示す画面図である。図７（ｂ）に示すように、濃度調整画面９２０には、薄くボタン９２１、濃くボタン９２２、設定濃度表示部９２３、ＯＫボタン９２４及び戻るボタン９２５が表示される。
【００８４】
薄くボタン９２１は、画像Ｍの濃度Ｄを薄くする場合に、ユーザーによってタッチされる。濃くボタン９２２は、画像Ｍの濃度Ｄを濃くする場合に、ユーザーによってタッチされる。
【００８５】
設定濃度表示部９２３は、設定されている濃度Ｄを表示する。設定濃度表示部９２３は、濃度スケール９２３ａとインジケーターＩＮとを含む。濃度スケール９２３ａは、画像Ｍの濃度Ｄのイメージを画像として表示する。例えば、濃度スケール９２３ａでは、５段階の濃度Ｄを示す。インジケーターＩＮは、設定されている濃度Ｄを示す。すなわち、インジケーターＩＮが指し示す濃度スケール９２３ａの位置は、設定されている濃度Ｄを示す。
【００８６】
薄くボタン９２１をユーザーがタッチすると、インジケーターＩＮが左側に移動する。濃くボタン９２２をユーザーがタッチすると、インジケーターＩＮが右側に移動する。
【００８７】
ＯＫボタン９２４は、設定濃度表示部９２３に表示された濃度Ｄに決定する場合に、ユーザーによってタッチされる。戻るボタン９２５は、画質調整画面９１０に戻る場合に、ユーザーによってタッチされる。
【００８８】
次に、図７（ｂ）を参照して、制御部８の処理について説明する。薄くボタン９２１がタッチされると、表示部８０３は、インジケーターＩＮを左側に移動して表示する。濃くボタン９２２がタッチされると、表示部８０３は、インジケーターＩＮを右側に移動して表示する。ＯＫボタン９２４がタッチされると、調整部８０４は、インジケーターＩＮが指し示す濃度スケール９２３ａの位置に応じて、画像Ｍの濃度Ｄを調整する。
【００８９】
以上、図３〜図７（ｂ）を参照して説明したように、本発明の実施形態では、
薄くボタン９２１及び濃くボタン９２２をタッチすることによって、ユーザーは画像Ｍの濃度Ｄを所望する濃度Ｄに調整できる。
【００９０】
次に、図３〜図８を参照して、制御部８の処理について更に説明する。図８は、印刷実行画面９５０の一例を示す画面図である。図８に示すように、印刷実行画面９５０には、コピーボタン９９１と、プリントボタン９９２と、戻るボタン９５１とが表示される。コピーボタン９９１及びプリントボタン９９２については、図６を参照して詳細に説明したので、以下ではその説明を簡略化する。
【００９１】
コピーボタン９９１は、コピージョブＣＪを実行する場合に、ユーザーによってタッチされる。プリントボタン９９２は、プリントジョブＰＪを実行する場合に、ユーザーによってタッチされる。
【００９２】
戻るボタン９５１は、前に表示された画面に戻る場合に、ユーザーによってタッチされる。前に表示された画面とは、濃度調整画面９２０、彩度調整画面９３０又はカラーバランス調整画面９４０を示す。
【００９３】
次に、図８を参照して、制御部８の処理について説明する。印刷実行画面９５０のコピーボタン９９１がタッチされた場合には、表示部８０３は、コピー画面を表示する。コピー画面を介してコピージョブＣＪを実行する旨の指示を受け付けた場合には、実行部８０７は、コピージョブＣＪを実行する。プリントボタン９９２がタッチされた場合には、実行部８０７は、プリントジョブＰＪを実行する。
【００９４】
以上、図３〜図８を参照して説明したように、本発明の実施形態では、コピーボタン９９１をタッチしてコピージョブＣＪを実行する旨の指示を入力することによって、コピージョブＣＪを実行できる。また、プリントボタン９９２をタッチすることによって、プリントジョブＰＪを実行できる。よって、ユーザーは簡単な操作でコピージョブＣＪ及びプリントジョブＰＪを実行できる。
【００９５】
次に、図３〜図１１を参照して、制御部８の処理について説明する。図９、図１０及び図１１の各々は、制御部８の処理の一例を示すフローチャートである。
図９に示すように、ステップＳ１０１において、制御部８は、電源がオンされたか否かを判定する。
電源がオンされていないと制御部８が判定した場合（ステップＳ１０１でＮＯ）には、処理が待機状態になる。電源がオンされたと制御部８が判定した場合（ステップＳ１０１でＹＥＳ）には、処理がステップＳ１０３に進む。
そして、ステップＳ１０３において、第１判定部８０１は、リーダー７を介して、トナー供給部１３に装着されたトナーコンテナＴＣの識別情報ＪＤを取得する。
次に、ステップＳ１０５において、第１判定部８０１は、トナー供給部１３に装着されたトナーコンテナＴＣが、第２コンテナＴＣ２であるか否かを判定する。
トナー供給部１３に装着されたトナーコンテナＴＣが第２コンテナＴＣ２ではないと第１判定部８０１が判定した場合（ステップＳ１０５でＮＯ）には、処理がステップＳ１０７に進む。
そして、ステップＳ１０７において、決定部８０２は、初期画面として第２初期画面９９０をタッチパネル１４１に表示する旨を決定する。
次に、ステップＳ１０９において、表示部８０３は、第２初期画面９９０をタッチパネル１４１に表示し、処理が終了される。
【００９６】
トナー供給部１３に装着されたトナーコンテナＴＣが第２コンテナＴＣ２であると第１判定部８０１が判定した場合（ステップＳ１０５でＹＥＳ）には、処理がステップＳ１１１に進む。
そして、ステップＳ１１１において、決定部８０２は、初期画面として第１初期画面９００をタッチパネル１４１に表示する旨を決定する。
次に、ステップＳ１１３において、表示部８０３は、第１初期画面９００をタッチパネル１４１に表示する。
次に、ステップＳ１１５において、制御部８は、第１初期画面９００の画質調整ボタン９０１がタッチされたか否かを判定する。
画質調整ボタン９０１がタッチされていないと制御部８が判定した場合（ステップＳ１１５でＮＯ）には、処理が図１１に示すステップＳ１２９に進む。画質調整ボタン９０１がタッチされたと制御部８が判定した場合（ステップＳ１１５でＹＥＳ）には、処理がステップＳ１１７に進む。
そして、ステップＳ１１７において、表示部８０３は、画質調整画面９１０をタッチパネル１４１に表示する。
【００９７】
次に、図１０に示すように、ステップＳ１１９において、制御部８は、「画質調整処理」を実行する。「画質調整処理」は、画像Ｍの画質Ｑを調整する処理を示す。「画質調整処理」については、後述にて図１２を参照して詳細に説明する。
次に、ステップＳ１２１において、第２判定部８０６は、画像Ｍの画質Ｑの調整が完了したか否かを判定する。具体的には、第２判定部８０６は、濃度調整画面９２０、彩度調整画面９３０又はカラーバランス調整画面９４０に対するユーザーの入力に基づいて、画像Ｍの画質Ｑの調整が完了したか否かを判定する。
画質Ｑの調整が完了していないと第２判定部８０６が判定した場合（ステップＳ１２１でＮＯ）には、処理がステップＳ１１９に戻る。画質Ｑの調整が完了したと第２判定部８０６が判定した場合（ステップＳ１２１でＹＥＳ）には、処理がステップＳ１２３に進む。
そして、ステップＳ１２３において、受付部８０５が、印刷ジョブＪＢを受け付けたか否かを判定する。
印刷ジョブＪＢを受け付けていないと受付部８０５が判定した場合（ステップＳ１２３でＮＯ）には、処理が待機状態になる。印刷ジョブＪＢを受け付けたと受付部８０５が判定した場合（ステップＳ１２３でＹＥＳ）には、処理がステップＳ１２５に進む。
【００９８】
そして、ステップＳ１２５において、実行部８０７が、印刷ジョブＪＢを実行する旨の指示を受け付けたか否かを判定する。
具体的には、印刷ジョブＪＢは、コピージョブＣＪとプリントジョブＰＪとを含む。印刷実行画面９５０のコピーボタン９９１がタッチされてコピー画面が表示され、且つコピー画面を介してコピージョブＣＪを実行する旨の指示が入力された場合に、実行部８０７は、コピージョブＣＪを実行する旨の指示を受け付けたと判定する。また、印刷実行画面９５０のプリントボタン９９２がタッチされた場合に、実行部８０７は、プリントジョブＰＪを実行する旨の指示を受け付けたと判定する。
印刷ジョブＪＢを実行する旨の指示を受け付けていないと実行部８０７が判定した場合（ステップＳ１２５でＮＯ）には、処理が待機状態になる。印刷ジョブＪＢを実行する旨の指示を受け付けたと実行部８０７が判定した場合（ステップＳ１２５でＹＥＳ）には、処理がステップＳ１２７に進む。
そして、ステップＳ１２７において、実行部８０７は、印刷ジョブＪＢを画像形成部４に実行させ、処理が終了する。
【００９９】
図９に示すステップＳ１１５でＮＯの場合には、図１１に示すように、ステップＳ１２９において、制御部８は、第１初期画面９００のＦＡＸボタン９０２がタッチされたか否かを判定する。
ＦＡＸボタン９０２がタッチされたと制御部８が判定した場合（ステップＳ１２９でＹＥＳ）には、処理がステップＳ１３１に進む。
そして、ステップＳ１３１において、制御部８が「ＦＡＸ送信処理」を実行し、処理が終了する。「ＦＡＸ送信処理」は、ファクシミリを送信する処理を示す。
ＦＡＸボタン９０２がタッチされていないと制御部８が判定した場合（ステップＳ１２９でＮＯ）には、処理がステップＳ１３３に進む。
そして、ステップＳ１３３において、制御部８は、第１初期画面９００のＳＥＮＤボタン９０３がタッチされたか否かを判定する。
ＳＥＮＤボタン９０３がタッチされていないと制御部８が判定した場合（ステップＳ１３３でＮＯ）には、処理が図９に示すステップＳ１１５に戻る。ＳＥＮＤボタン９０３がタッチされたと制御部８が判定した場合（ステップＳ１３３でＹＥＳ）には、処理がステップＳ１３５に進む。
そして、ステップＳ１３５において、制御部８が「画像情報送信処理」を実行し、処理が終了する。「画像情報送信処理」は、記憶部８２に記憶された画像情報をパーソナルコンピューター２００に送信する処理を示す。
【０１００】
以上、図３〜図１１を参照して説明したように、本発明の実施形態では、画像Ｍの画質Ｑの調整が完了したか否かを第２判定部８０６が判定し、第２判定部８０６の判定結果に基づいて、実行部８０７は印刷ジョブＪＢを画像形成部４に実行させる。よって、例えば、画像Ｍの画質Ｑの調整が完了していない場合には、印刷ジョブＪＢの実行を禁止できる。したがって、ユーザーが要求する画質Ｑを満たさない画像Ｍが用紙Ｐに形成されることを更に抑制できる。したがって、ユーザーの利便性を更に向上できる。
【０１０１】
また、画像Ｍの画質Ｑの調整が完了していないと第２判定部８０６が判定した場合に、実行部８０７は、印刷ジョブＪＢの実行を規制する。例えば、実行部８０７は、印刷ジョブＪＢの実行を禁止する。よって、ユーザーが要求する画質Ｑを満たさない画像Ｍが用紙Ｐに形成されることを確実に抑制できる。
【０１０２】
なお、本発明の実施形態では、電源がオンされた場合に、表示部８０３が第１初期画面９００又は第２初期画面９９０をタッチパネル１４１に表示するが、本発明はこれに限定されない。電源がオンされた場合、スリープ状態から復帰した場合、又は「自動パネルリセット」が行われる場合に、表示部８０３が第１初期画面９００又は第２初期画面９９０をタッチパネル１４１に表示すればよい。「自動パネルリセット」とは、ユーザーのタッチパネル１４１に対する操作が所定時間以上行われなかった場合に、タッチパネル１４１に初期画面を表示することを示す。所定時間は、例えば３分間である。
【０１０３】
次に、図３〜図１２を参照して、制御部８の「画質調整処理」について説明する。図１２は、制御部８の「画質調整処理」の一例を示すフローチャートである。
図１２に示すように、ステップＳ２０１において、制御部８は、画質調整画面９１０の濃度ボタン９１１がタッチされたか否かを判定する。
濃度ボタン９１１がタッチされていないと制御部８が判定した場合（ステップＳ２０１でＮＯ）には、処理がステップＳ２０７に進む。濃度ボタン９１１がタッチされたと制御部８が判定した場合（ステップＳ２０１でＹＥＳ）には、処理がステップＳ２０３に進む。
そして、ステップＳ２０３において、表示部８０３が、濃度調整画面９２０を表示する。
次に、ステップＳ２０５において、調整部８０４が、画像Ｍの濃度Ｄを調整し、制御部８は、画像Ｍの濃度Ｄの調整が完了したか否かを判定する。
画像Ｍの濃度Ｄの調整が完了していないと制御部８が判定した場合（ステップＳ２０５でＮＯ）には、処理がステップＳ２０３に戻る。画像Ｍの濃度Ｄの調整が完了したと制御部８が判定した場合（ステップＳ２０５でＹＥＳ）には、処理が図１０のステップＳ１２１にリターンする。
【０１０４】
ステップＳ２０１でＮＯの場合には、ステップＳ２０７において、制御部８は、画質調整画面９１０の彩度ボタン９１２がタッチされたか否かを判定する。
彩度ボタン９１２がタッチされていないと制御部８が判定した場合（ステップＳ２０７でＮＯ）には、処理がステップＳ２１３に進む。彩度ボタン９１２がタッチされたと制御部８が判定した場合（ステップＳ２０７でＹＥＳ）には、処理がステップＳ２０９に進む。
そして、ステップＳ２０９において、表示部８０３が、彩度調整画面９３０を表示する。
次に、ステップＳ２１１において、調整部８０４が、画像Ｍの彩度Ｈを調整し、制御部８は、画像Ｍの彩度Ｈの調整が完了したか否かを判定する。
画像Ｍの彩度Ｈの調整が完了していないと制御部８が判定した場合（ステップＳ２１１でＮＯ）には、処理がステップＳ２０９に戻る。画像Ｍの彩度Ｈの調整が完了したと制御部８が判定した場合（ステップＳ２１１でＹＥＳ）には、処理が図１０のステップＳ１２１にリターンする。
【０１０５】
ステップＳ２０７でＮＯの場合には、ステップＳ２１３において、制御部８は、画質調整画面９１０のカラーバランスボタン９１３がタッチされたか否かを判定する。
カラーバランスボタン９１３がタッチされていないと制御部８が判定した場合（ステップＳ２１３でＮＯ）には、処理がステップＳ２０１に戻る。カラーバランスボタン９１３がタッチされたと制御部８が判定した場合（ステップＳ２１３でＹＥＳ）には、処理がステップＳ２１５に進む。
そして、ステップＳ２１５において、表示部８０３が、カラーバランス調整画面９４０を表示する。
次に、ステップＳ２１７において、調整部８０４が、画像ＭのカラーバランスＣＢを調整し、制御部８は、画像ＭのカラーバランスＣＢの調整が完了したか否かを判定する。
画像ＭのカラーバランスＣＢの調整が完了していないと制御部８が判定した場合（ステップＳ２１７でＮＯ）には、処理がステップＳ２１５に戻る。画像ＭのカラーバランスＣＢの調整が完了したと制御部８が判定した場合（ステップＳ２１７でＹＥＳ）には、処理が図１０のステップＳ１２１にリターンする。
【０１０６】
以上、図３〜図１２を参照して説明したように、本発明の実施形態では、調整部８０４は、画像Ｍの濃度Ｄを調整する機能、画像Ｍの彩度Ｈを調整する機能、及び画像ＭのカラーバランスＣＢを調整する機能を有する。よって、ユーザーはカラー画像の画質Ｑを容易に調整できる。したがって、ユーザーの利便性を更に向上できる。
【０１０７】
なお、本発明の実施形態では、調整部８０４が、画像Ｍの濃度Ｄを調整する機能、画像Ｍの彩度Ｈを調整する機能、及び画像ＭのカラーバランスＣＢを調整する機能を有するが、本発明はこれに限定されない。調整部８０４が、画像Ｍの濃度Ｄを調整する機能、画像Ｍの彩度Ｈを調整する機能、及び画像ＭのカラーバランスＣＢを調整する機能のうちの少なくとも１つの機能を有すればよい。
【０１０８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１０９】
（１）図１及び図２を参照して説明したように、本発明の実施形態では、「消耗品」がトナーであり、「交換部品」がトナーコンテナＴＣであるが、本発明はこれに限定されない。「消耗品」を消費することによって用紙Ｐに画像Ｍを形成すればよい。例えば、「消耗品」がインクであり、「交換部品」がインクカートリッジでもよい。この場合には、「画像形成装置」は、インクジェット記録装置である。
【０１１０】
（２）図１及び図２を参照して説明したように、本発明の実施形態では、画像形成装置１００がカラー複合機であるが、本発明はこれに限定されない。画像形成装置１００が用紙Ｐに画像Ｍを形成すればよい。例えば、画像形成装置１００がモノクロの複合機でもよいし、画像形成装置１００がカラープリンターでもよい。
【０１１１】
（３）図１〜図３を参照して説明したように、本発明の実施形態では、第１コンテナＴＣ１が専用品を示し、第２コンテナＴＣ２が非専用品を示すが、本発明はこれに限定されない。第１コンテナＴＣ１が「第１品質」のトナーを収納し、第２コンテナＴＣ２が「第２品質」のトナーを収納していればよい。「第１品質」のトナーは、「第２品質」のトナーと比較して品質が相違する。例えば、「第１品質」のトナーは、「第２品質」のトナーより品質が高い。
【産業上の利用可能性】
【０１１２】
本発明は、画像形成装置の分野に利用可能である。
【符号の説明】
【０１１３】
１００    画像形成装置
１    画像形成ユニット
４、４ｃ、４ｍ、４ｙ、４ｋ    画像形成部
４２、４２ｃ、４２ｍ、４２ｙ、４２ｋ    感光体ドラム
４３、４３ｃ、４３ｍ、４３ｙ、４３ｋ    現像部
４３１、４３１ｃ、４３１ｍ、４３１ｙ、４３１ｋ    現像ローラー
５    転写部
５１、５１ｃ、５１ｍ、５１ｙ、５１ｋ    一次転写ローラー
５２    二次転写ローラー
５３    駆動ローラー
５４    中間転写ベルト
１３    トナー供給部（装着部）
ＴＣ、ＴＣｃ、ＴＣｍ、ＴＣｙ、ＴＣｋ    トナーコンテナ（交換部品）
ＴＣ１    第１コンテナ（第１交換部品）
ＴＣ２    第２コンテナ（第２交換部品）
６、６１、６２、６３、６４    ＩＣタグ
７、７１、７２、７３、７４    リーダー
１４    操作パネル
１４１    タッチパネル（ディスプレー）
８    制御部
８１    プロセッサー
８０１    第１判定部
８０２    決定部
８０３    表示部
８０４    調整部
８０５    受付部
８０６    第２判定部
８０７    実行部
８２    記憶部
９００    第１初期画面
９０１    画質調整ボタン（画質調整アイコン）
９０２    ＦＡＸボタン（少なくとも１つのアイコン）
９０３    ＳＥＮＤボタン（少なくとも１つのアイコン）
９０４    画質調整タグ
９１０    画質調整画面
９２０    濃度調整画面
９３０    彩度調整画面
９４０    カラーバランス調整画面
９５０    印刷実行画面
９９０    第２初期画面
２    画像読取ユニット
３    原稿搬送ユニット
Ｐ    用紙（記録媒体）
ＪＢ    印刷ジョブ
Ｍ    画像
Ｑ    画質
Ｄ    濃度
Ｈ    彩度
ＣＢ    カラーバランス
【図１】
2019130750.tif 000003
【図２】
2019130750.tif 000004
【図３】
2019130750.tif 000005
【図４】
2019130750.tif 000006
【図５】
2019130750.tif 000007
【図６】
2019130750.tif 000008
【図７】
2019130750.tif 000009
【図８】
2019130750.tif 000010
【図９】
2019130750.tif 000011
【図１０】
2019130750.tif 000012
【図１１】
2019130750.tif 000013
【図１２】
2019130750.tif 000014